(57)【特許請求の範囲】
【請求項１】
第１駒と第２駒と連結具とピンとを１組として、複数組を連結してなる装飾品用駒であって、
前記第１駒は、平板状であって、前面側および後面側に設けられたくぼみ部と、それぞれの該くぼみ部を連結する孔部とからなる貫通孔を備えており、
前記第２駒は、前記くぼみ部に配置され、柱状で、前記連結具の一部を収容するための孔または切り欠きからなる収容部を有するとともに、該収容部から端面まで貫通する孔であるピン係合部を備えており、
前記連結具は、前記第１駒の前記貫通孔に配置され、一方の前記くぼみ部側に設けられて、前記第２駒の前記収容部に配置される一方側挿入部と、他方の前記くぼみ部側に設けられて、隣接する前記第２駒の前記収容部に、隣接する前記一方側挿入部を挟み込むように配置される他方側挿入部とを備えるとともに、前記一方側挿入部と前記他方側挿入部とは、内部に前記ピンを挿入するためのピン孔を有してなり、
前記連結具の前記一方側挿入部と、隣接する前記連結具の前記他方側挿入部と、前記第２駒の前記ピン係合部とが、前記ピンにより連結されており、前記ピンの端部および前記ピン係合部が前記くぼみ部の内壁に覆われていることを特徴とする装飾品用駒。
【請求項２】
前記第１駒および前記第２駒がセラミックスからなることを特徴とする請求項１に記載の装飾品用駒。
【発明の詳細な説明】
【技術分野】
【０００１】
本発明は、腕時計のバンドやブレスレットなどに用いられる装飾品用駒に関し、特に、セラミックスを用いた装飾品用駒に関する。
【背景技術】
【０００２】
従来、腕時計のバンドやブレスレットなどに用いられる装飾品用駒には、デザインに合わせて様々な構造が提案されている。特に、バンドの駒にセラミックスを用いた装飾品用駒は、セラミックスが傷つきにくく耐磨耗性に優れることから高級な装飾品に用いられるようになってきている。この様なセラミックスを用いる例として、特許文献１には、時計の装備方向に通ずるストレート形状の貫通穴を駒本体の厚み内に設けた略方形のバンド駒と、バンド駒の貫通穴と連通する開口を棒状本体の軸線内に設け、棒状本体の側端面から軸線内の開口と連通する軸受け孔を軸両側に設け、時計の装備側に向けて棒状本体の軸両端寄りから突起を設けたスペーサと、板状本体の前後辺を軸継ぎ手として形成した連鎖片と、連結ピンとを所定数複数個組み合わせてなり、各突起を貫通穴の穴両端内に嵌め合わせてスペーサを時計の装備側前側に位置するバンド駒と一体に組み立てると共に、相前後するバンド駒の間にスペーサで隙間を保ってバンド駒とスペーサとを交互に組み合わせ、連鎖片を相前後する軸継ぎ手で互いに組み合わせて軸継ぎ手をスペーサの開口内に位置し、板状本体をバンド駒の貫通穴内に位置させて連鎖片とバンド駒並びにスペーサとを組み合わせると共に、連結ピンを各スペーサの軸受け孔と当該スペーサの開口内に位置する連鎖片の軸継ぎ手とに挿置し、これら組み合わされた各部からバンド本体を鎖状に組み立てた腕時計用バンドが開示されている。
【先行技術文献】
【特許文献】
【０００３】
【特許文献１】特許第3924635号公報
【発明の概要】
【発明が解決しようとする課題】
【０００４】
しかしながら、従来の腕時計のバンドなどに用いられる装飾品用駒は、側面から見ると駒を連結するために用いる連結ピンの端部やネジの頭が見えて装飾性を損なうという問題があり、特にセラミックス製の駒を用いたバンドではこれらの課題を好適に解決するにはさらに工夫が必要であった。
【０００５】
例えば、特許文献１の腕時計用バンドは、スペーサを駒本体の間に配置することで、バンドを側面から見るとスペーサの側面に連結ピンの端部が見えることから、連結用の部品の一部が露出して装飾性が損なわれるという問題があった。
【０００６】
本発明は、装飾品用駒の側面に連結ピンの端部やネジの頭が露出せず、駒の材質を全てセラミックスとしても欠けや磨耗しにくい装飾品用駒を提供することを目的とする。
【課題を解決するための手段】
【０００７】
本発明の装飾品用駒は、第１駒と第２駒と連結具とピンとを１組として、複数組を連結してなる装飾品用駒であって、前記第１駒は、平板状であって、前面側および後面側に設けられたくぼみ部と、それぞれの該くぼみ部を連結する孔部とからなる貫通孔を備えており、前記第２駒は、前記くぼみ部に配置され、柱状で、前記連結具の一部を収容するための孔または切り欠きからなる収容部を有するとともに、該収容部から端面まで貫通する孔であるピン係合部を備えており、前記連結具は、前記第１駒の前記貫通孔に配置され、一方の前記くぼみ部側に設けられて、前記第２駒の前記収容部に配置される一方側挿入部と、他方の前記くぼみ部側に設けられて、隣接する前記第２駒の前記収容部に、隣接する前
記一方側挿入部を挟み込むように配置される他方側挿入部とを備えるとともに、前記一方側挿入部と前記他方側挿入部とは、内部に前記ピンを挿入するためのピン孔を有してなり、前記連結具の前記一方側挿入部と、隣接する前記連結具の前記他方側挿入部と、前記第２駒の前記ピン係合部とが、前記ピンにより連結されており、前記ピンの端部および前記ピン係合部が前記くぼみ部の内壁に覆われていることを特徴とする。
【００１０】
また、本発明の装飾品用駒は、上記構成において、前記第１駒および前記第２駒がセラミックスからなることを特徴とする。
【発明の効果】
【００１１】
本発明の装飾品用駒によれば、第１駒と第２駒と連結具とピンとを１組として、複数組を連結してなる装飾品用駒であって、前記第１駒は、平板状であって、前面側および後面側に設けられたくぼみ部と、それぞれの該くぼみ部を連結する孔部とからなる貫通孔を備えており、前記第２駒は、前記くぼみ部に配置され、柱状で、前記連結具の一部を収容するための孔または切り欠きからなる収容部を有するとともに、該収容部から端面まで貫通する孔であるピン係合部を備えており、前記連結具は、前記第１駒の前記貫通孔に配置され、一方の前記くぼみ部側に設けられて、前記第２駒の前記収容部に配置される一方側挿入部と、他方の前記くぼみ部側に設けられて、隣接する前記第２駒の前記収容部に、隣接する前記一方側挿入部を挟み込むように配置される他方側挿入部とを備えるとともに、前記一方側挿入部と前記他方側挿入部とは、内部に前記ピンを挿入するためのピン孔を有してなり、前記連結具の前記一方側挿入部と、隣接する前記連結具の前記他方側挿入部と、前記第２駒の前記ピン係合部とが、前記ピンにより連結されており、前記ピンの端部および前記ピン係合部が前記くぼみ部の内壁に覆われていることから、装飾品用駒の側面からピンの端部やピン係合部や連結具が露出せず、バンドを手首に巻いたとき駒と駒との間から内部の連結具が露出しにくくなる。
【００１２】
また、本発明の装飾品用駒は、上記構成において、前記第２駒は、前記他方側挿入部のピン孔と連続するピン係合部を有しており、前記連結具の前記一方側挿入部と、隣接する前記連結具の前記他方側挿入部と、前記ピン係合部とが、前記ピンにより連結されていることから、連結具と第１駒との回転軸がほぼ一致するため装飾品用駒を全体的にスムーズに曲げやすくなる。
【００１３】
また、本発明の装飾品用駒は、上記構成において、前記ピン係合部が、前記第２駒の前記収容部から端面まで貫通する孔であることから、ピンを第２駒の端面側から挿入して前記第２駒と前記連結具とを係合することができ、組み立て作業がし易くなる。
【００１４】
また、本発明の装飾品用駒は、上記構成において、前記第１駒および前記第２駒がセラミックスからなることから、欠けや磨耗がしにくく質感や色調に統一性を持たせた高級感のある美しい外観を得易くなる。
【図面の簡単な説明】
【００１５】
【図１】本実施形態である装飾品用駒の一部である第１駒の一例を示す、（ａ）は平面図であり、（ｂ）は正面図であり、（ｃ）は背面図であり、（ｄ）は底面図であり、（ｅ）は右側面図である。
【図２】本実施形態である装飾品用駒の一部である第２駒の一例を示す、（ａ）は平面図であり、（ｂ）は正面図であり、（ｃ）は右側面図である。
【図３】本実施形態である装飾品用駒の一部である第２駒の他の例を示す、（ａ）は平面図であり、（ｂ）は正面図であり、（ｃ）は右側面図であり、（ｄ）は底面図である。
【図４】本実施形態の装飾品用駒の一部である連結具の一例を示す、（ａ）は平面図であり、（ｂ）は正面図であり、（ｃ）は背面図であり、（ｄ）は右側面図である。
【図５】本実施形態の装飾品用駒の一部であるピンの一例を示す斜視図である。
【図６】図６−１（ａ），（ｂ）〜図６−４（ａ），（ｂ）は本実施形態の装飾品用駒の組み付け方を説明するための模式断面図を示す、図６−１（ａ）〜図６−４（ａ）は、上面側から見た模式断面図であり、図６−１（ｂ）〜図６−４（ｂ）は、図６−１（ａ）〜図６−４（ａ）のそれぞれをＤ−Ｄ′線で見た模式断面図である。
【図７】本実施形態である装飾品用駒の組み付け図の一例を示す、（ａ）は平面図であり、（ｂ）は正面図であり、（ｃ）は装飾品用駒を曲げた状態を示す断面図である。
【発明を実施するための形態】
【００１６】
以下、本発明の実施形態の例について説明する。
【００１７】
時計用のバンドやブレスレットなどに用いられる装飾品用駒には、金属製，樹脂製，皮革製またはセラミックス製などの様々な材質が用いられている。特に、セラミックス製の装飾品用駒は、硬度が高いため傷つきにくく長期に渡って美しい外観を保つことができるため高級品に用いられる場合が多い。しかしその反面セラミックスは、他の材質とは異なり硬度が高いために加工性が悪く欠けやすいため、装飾品用駒として用いるときには特殊な連結構造が必要であった。
【００１８】
そして、本実施形態は、第１駒と第２駒と連結具とピンとを１組として、複数組を連結してなる装飾品用駒であって、第１駒は、平板状であって、前面側および後面側に設けられたくぼみ部と、それぞれのくぼみ部を連結する孔部とからなる貫通孔を備えており、
第２駒は、くぼみ部に配置され、柱状で、連結具の一部を収容するための孔または切り欠きからなる収容部を有しており、連結具は、第１駒の貫通孔に配置され、一方のくぼみ部側に設けられて、第２駒の収容部に配置される一方側挿入部と、他方のくぼみ部側に設けられて、隣接する第２駒の収容部に、隣接する一方側挿入部を挟み込むように配置される他方側挿入部とを備えるとともに、一方側挿入部と他方側挿入部とは、内部にピンを挿入するためのピン孔を有してなり、連結具の一方側挿入部と、隣接する連結具の他方側挿入部とが、ピンにより連結されているが重要である。
【００１９】
次に、本実施形態の例を説明する。
【００２０】
図１は、本実施形態である装飾品用駒の一部である第１駒の一例を示す、（ａ）は平面図であり、（ｂ）は正面図であり、（ｃ）は背面図であり、（ｄ）は底面図であり、（ｅ）は右側面図である。
【００２１】
図１（ａ）〜（ｅ）に示す本実施形態の装飾部品である第１駒１は、装飾品用駒を手首に巻き付けたとき、その外観形状は主に上面13と側面12とから構成される。そして下面14は手首に接する面となり、前面側10および後面側11に設けられたくぼみ部16とくぼみ部16同士を連通する孔部17とで貫通孔が形成されている。
【００２２】
第１駒１において装飾品用駒を組み立て手首に巻き付けたとき、上面13と側面12とは、目視される部分であるため装飾的に重要な部分となり、下面14は、手首側となるため装着感において重要な部分となる。また、くぼみ部16は、装飾品用駒を組み立てるとき第２駒
２を収容する部分であり、第２駒２と擦れるくぼみ部16の内面は鏡面または凹凸の少ない滑らかな面とすることで、第２駒２の表面を傷付けないようにすることが好ましい。
【００２３】
そして、孔部17は、装飾品用駒を組み立てるとき連結具３を収容する部分であり、図１（ｂ），（ｃ）に示されるように孔部17の断面は矩形状となっている。
【００２４】
図２は、本実施形態である装飾品用駒の一部である第２駒の一例を示す、（ａ）は平面図であり、（ｂ）は正面図であり、（ｃ）は右側面図である。
【００２５】
図２（ａ）〜（ｃ）に示す第２駒２は、柱状であり、中央に第２駒前面20側から第２駒後面21側に貫通する孔からなる収容部24と、収容部24から第２駒２の端面22に貫通する孔からなるピン係合部23とを有し、ピン係合部23は円形の第２駒２の端面22の中心に形成してある。
【００２６】
なお、図２（ａ）〜（ｃ）に示す第２駒２は、装飾品用駒に組み立てたとき、収容部24に後述する連結具３の挿入部を収容して、前後の第１駒１のくぼみ部16に収容される。そして第１駒１のくぼみ部16と接触する面は、鏡面か凹凸の少ない滑らかな面として傷つきにくくし、耐久性を高めることが好ましい。
【００２７】
図３は、本実施形態である装飾品用駒の一部である第２駒の他の例を示す、（ａ）は平面図であり、（ｂ）は正面図であり、（ｃ）は右側面図であり、（ｄ）は底面図である。
【００２８】
図３（ａ）〜（ｄ）に示す第２駒２は、柱状であり、中央に切り欠きからなる収容部24と、収容部24から第２駒端面22に貫通する孔のピン係合部23とを有し、ピン係合部23は円形であり第２駒端面22の中心に形成してある。
【００２９】
また、図３（ａ）〜（ｄ）に示す第２駒２は、収容部24が切り欠き状のものであるが、収容部24を孔状とするか切り欠き状とするかは、第２駒２をセラミックスで作製するときの成形方法や装飾品用駒のデザインにより適宜選択すればよい。
【００３０】
図４は、本実施形態の装飾品用駒の一部である連結具の一例を示す、（ａ）は平面図であり、（ｂ）は正面図であり、（ｃ）は背面図であり、（ｄ）は右側面図である。
【００３１】
図４（ａ）〜（ｄ）に示す連結具３は、他方側挿入部33および一方側挿入部34を連結するために、他方側挿入部33側には他方側挿入部33により形成される連結用凹部35を、一方側挿入部34である連結用凸部36を有し、さらに、それぞれの他方側挿入部33および一方側挿入部34（連結用凸部36）にはピン４が挿入されるピン孔31を有している。以下、一方側挿入部34を連結部用凸部36という場合がある。
【００３２】
この連結具３のピン孔31と第２駒のピン係合部23とに後述するピン４を挿通することで第２駒２と連結具３とを固定することができる。
【００３３】
図５は、本実施形態の装飾品用駒の一部であるピンの一例を示す斜視図である。
【００３４】
図５に示すピン４の一例に用いるピンとしては、単純なピン，バネピン，割ピンおよび圧入ピンなど公知の部品を用いることができる。さらに、ボルトや針金なども固定具４として用いることができる。
【００３５】
以下本実施形態の組み付け方について、図６−１（ａ），（ｂ）〜図６−４（ａ），（ｂ）を用いて説明する。
【００３６】
図６−１（ａ），（ｂ）〜図６−４（ａ），（ｂ）は本実施形態の装飾品用駒の組み付け方を説明するための模式断面図を示す、図６−１（ａ）〜図６−４（ａ）は、上面側から見た模式断面図であり、図６−１（ｂ）〜図６−４（ｂ）は、図６−１（ａ）〜図６−４（ａ）のそれぞれをＤ−Ｄ′線で見た模式断面図である。
【００３７】
組み付け方法は、先ず、図６−１（ａ），（ｂ）および図６−２（ａ），（ｂ）に示すように、先ず第１駒１の孔部17に連結具３を挿入する。
【００３８】
次に、図６−３（ａ），（ｂ）に示すように、第２駒２を、収容部24に連結具３の挿入部が収容されるように連結具３の一方側挿入部34側から挿入すると同時に第１駒１の後面側11のくぼみ部16に第２駒２の約半分を収容し、第２駒２のピン系合部23と連結具３の一方側挿入部34のピン孔31とが連通するように位置を決める。
【００３９】
次に、図６−４（ａ），（ｂ）に示すように、第２駒２のピン系合部23と連結具３の一方側挿入部34のピン孔31とを連通するように位置決めし、次の連結具３を連結させるために、連結具３の連結用凸部36と次に連結する連結具３の連結用凹部35とをはめ込むと同時に、第２駒２のピン系合部23と連結具３の連結用凸部36のピン孔31と次に連結する連結具３の他方側挿入部33のピン孔31とを連通するように位置決めし、第２駒２のピン系合部23と連結具３の連結用凸部36のピン孔31と次に連結する連結具３の他方側挿入部33のピン孔31とにピン４を挿通する。これらを繰り返すことにより、第１駒１，第２駒２，連結具３およびピン４が連結される。
【００４０】
このように、本実施形態の例では、装飾品用駒は、第２駒２の間隔が第２駒２と連結具３とピン４とにより拘束されるため、第１駒１のくぼみ部16に収容された第２駒２と第１駒１のくぼみ部16とのクリアランスを装飾品用駒の全体で均等に保つことが可能となる。これにより、第１駒１と第２駒２をセラミックス製としても、装飾品用駒の特定の部分に繰り返し大きな摩擦が生じて第１駒１と第２駒２とが傷ついたり磨耗したりして、装飾品用駒の寿命が低下したり外観を損ねることを抑制できる。
【００４１】
図７は、本実施形態である装飾品用駒の組み付け図の一例を示す、（ａ）は平面図であり、（ｂ）は正面図であり、（ｃ）は装飾品用駒を曲げた状態を示す断面図である。
【００４２】
図７（ａ）〜（ｃ）に示す例では、連結具３やピン４は、第１駒１と第２駒２との内部に収容されている。そのため装飾品用駒70を手首に巻き付けたとき、上面側から見ると、第１駒１の隙間Ａからは第２駒２が見えるだけで連結具３が露出することはない。さらに、第２駒２の端面22側から見ると、ピン４は第１駒１のくぼみ部16の内側にあるためピン４の端部が露出することもなく、美しい外観を有する装飾品用駒70を得ることができる。
【００４３】
さらに、装飾品用駒70は、第１駒１のくぼみ部16と第２駒２の前面20および後面21との接触する面に沿って曲がるため、段差は殆ど生じることがなく、手首に巻き付けたときの装着感に優れおり、外観的にも高級感を有する。
【００４４】
本実施形態の装飾品用駒は、他方側挿入部のピン孔と連続するピン係合部を有しており、連結具の一方側挿入部と、隣接する連結具の他方側挿入部と、ピン係合部とが、ピンにより連結されていることが好ましい。
【００４５】
例えば、図４に示すような連結具３を用いる場合は、第２駒２の端面22側から見て、第２駒２の中心と連結具３のピン孔31の位置がほぼ一致するように配置すれば、連結具３と第１駒１の回転軸がほぼ一致するため装飾品用駒を全体的にスムーズに曲げ易くなる。
【００４６】
本実施形態の装飾品用駒は、ピン係合部が、第２駒の収容部から端面まで貫通する孔であることが好ましい。
【００４７】
例えば、割ピンまたは圧入ピンをピン４として用い、図６−３に示すように、第２駒２のピン係合部23と連結具３のピン孔31とが連通するように位置決めし、ピン４を第２駒２の端面22からピン係合部23に挿入し、ピン孔31を通って対面のピン係合部23まで挿通することにより、組み付け作業を容易に行なうことができるとともに、装飾品用駒70を補修のために分解やその後の組み立て作業がし易くなる。
【００４８】
本実施形態の装飾品用駒は、第２駒が隣接する第１駒に挟まれてくぼみ部に収容されたとき、ピン係合部が一方の第１駒のくぼみ部の内側に位置することが好ましい。
【００４９】
例えば、単純なピンをピン４として用い、図６−２に示すように、第２駒２のピン係合部23と連結具３のピン孔31とが連通するように位置決めし、ピン４を第２駒２の端面22からピン係合部23に挿入し、ピン孔31を通って対面のピン係合部23まで挿通するとピン４を挿通する力が殆ど必要ないため、さらに組み付け作業を容易に行なうことができるとともに、装飾品用駒70を補修のため分解することもさらに容易となる。特に、図７で示すように、第２駒２が第１駒１のくぼみ部16の内部に収容されて側面からピン係合部23が見えないデザインの装飾品用駒70に用いると、ピン係合部23は第１駒１のくぼみ部16の内壁で両端からフタをされるため、組み付けるだけでピン４が抜け落ちにくくなる。
【００５０】
また、本実施形態の装飾品用駒は、第１駒１および第２駒２がセラミックスからなることが好ましい。
【００５１】
第１駒１および第２駒２をセラミックスで形成することにより、装飾品用駒70は手首に巻き付けたとき、外観をセラミックスで統一することが可能となり、質感や色調に統一性を持たせた高級感のある美しい外観を得易くなる。
【００５２】
次に、本実施形態の装飾品用駒70を構成する第１駒１および第２駒２にセラミックスを用いた場合の製造方法を説明する。
【００５３】
本実施形態の装飾品用駒70を構成する第１駒１および第２駒２に用いるセラミックスとしては、炭化珪素，アルミナ，安定化剤を含むジルコニアまたはサーメットなど公知の材料を用いることができる。
【００５４】
例えば、炭化珪素を95質量％に焼結助剤としてアルミナを５質量％の割合で混合した原料をボールミルに投入して所定の粒度まで粉砕してスラリーを作製し、スプレードライヤーを用いて噴霧乾燥して顆粒を形成する。
【００５５】
次に、この顆粒と熱可塑性樹脂とをニーダに投入して加熱しながら混練して得られた坏土をペレタイザーに投入すれば、インジェクション成形（射出成形）用の原料となるペレットを得ることができる。なお、ニーダに投入する熱可塑性樹脂としては、エチレン酢酸ビニル共重合体やポリスチレンやアクリル系樹脂などをセラミックスの質量に対して10〜25質量％程度添加すればよく、ニーダを用いて混練中の加熱温度は140〜180℃に設定すればよい。また、混練の条件はセラミックスの種類や粒度、および熱可塑性樹脂の種類に応じて適宜設定すればよい。
【００５６】
そして、得られたペレットをインジェクション成形機（射出成形機）に投入して射出成形すれば、第１駒１および第２駒２となる成形体が得られる。このとき、得られた成形体
には通常は射出成形したときの余分な原料が冷えて固まったランナが付随しているので、脱脂する前に切断しておく。
【００５７】
炭化珪素の焼成条件としては、真空雰囲気中またはアルゴンやヘリウムなどの不活性ガス雰囲気中で焼成すればよく、最高温度は1900〜2200℃とし、最高温度での保持時間を１〜５時間とすればよく、黒色系のセラミックスが得られる。
【００５８】
さらにまた、本実施形態の装飾品用駒70を構成する第１駒１および第２駒２を構成するセラミックスとして、安定化剤を含むジルコニアセラミックスまたはアルミナセラミックスなどを用いる場合には、単体で用いるか、着色する場合には、顔料として、酸化鉄，酸化コバルト，酸化クロムまたは酸化ニッケルなどの金属酸化物を添加してもよい。
【００５９】
例えば、安定化剤としてイットリアを含むジルコニアを95質量％に対して酸化ニッケルを5質量％の割合で混合し、この原料をボールミルに投入して所定の粒度まで粉砕してス
ラリーを作製し、スプレードライヤーを用いて噴霧乾燥して顆粒を形成し、インジェクション成形機に投入して上述と同様の方法で射出成形すれば、第１駒１および第２駒２となる成形体が得られ、焼成すると青緑色系のセラミックスが得られる。
【００６０】
なお、本実施形態の装飾品用駒70を構成する第１駒１および第２駒２の形状を得るには、一般的な射出成形法に基づいて、第１駒１および第２駒２の形状が得られる成形型を作製し、これをインジェクション成形機に設置して射出成形すればよい。これによって、容易に所望の形状の第１駒１および第２駒２が得られる。
【００６１】
ここで、ジルコニアセラミックスまたはアルミナセラミックスの焼成条件としては、大気雰囲気中や真空雰囲気中での焼成で最高温度を1300〜1500℃の範囲として、最高温度での保持時間を１〜５時間とすればよい。
【００６２】
さらにまた、本実施形態の装飾品用駒70を構成する第１駒１および第２駒２を構成するセラミックスとして、サーメットを用いる場合には、炭化チタンや窒化チタンを主成分とし、結合剤としてニッケルやコバルトを用い、焼結助剤としてモリブデンやクロムおよびそれらの炭化物を添加すればよい。
【００６３】
例えば、窒化チタンを90質量％に対して酸化ニッケルを6％、炭化クロムを２質量％お
よびモリブデンを２質量％の割合で混合し、この原料をボールミルに投入して所定の粒度まで粉砕してスラリーを作製し、スプレードライヤーを用いて噴霧乾燥して顆粒を形成し、インジェクション成形機に投入して上述と同様の方法で射出成形すれば、第１駒１および第２駒２となる成形体が得られ、焼成すると金色系セラミックスが得られる。
【００６４】
なお、本実施形態の装飾品用駒70を構成する第１駒１および第２駒２の形状を得るには、一般的な射出成形法に基づいて、第１駒１および第２駒２の形状が得られる成形型を作製し、これをインジェクション成形機に設置して射出成形すればよい。これによって、容易に所望の形状の第１駒１および第２駒２が得られる。
【００６５】
ここで、サーメットの焼成条件としては、真空雰囲気中や不活性ガス雰囲気中での焼成で最高温度を1300〜1500℃の範囲として、最高温度での保持時間を１〜５時間とすればよい。
【００６６】
以上のように本実施形態の装飾品用駒を用いて時計ケース５に組み付ければ、装飾品用駒70の側面に連結ピンの端部やネジの頭が露出せず、バンドを手首に巻いたとき駒と駒との間から内部の連結具が露出せず、駒の材質を全てセラミックスとしても欠けや磨耗しに
くい装飾品用駒を提供することができる。
【符号の説明】
【００６７】
１：第１駒
２：第２駒
３：連結具
４：ピン
５：時計ケース
６：スペーサ
10：前面側
11：後面側
12：側面
13：上面
14：下面
15：斜面
16：くぼみ部
17：孔部
20：第２駒前面
21：第２駒後面
22：端面
23：ピン係合部
24：収容部
33：他方側挿入部
34：一方側挿入部
35：連結用凹部
36：連結用凸部
31：ピン孔
70：装飾品用駒
【図１】
0005623189.tif 000002
【図２】
0005623189.tif 000003
【図３】
0005623189.tif 000004
【図４】
0005623189.tif 000005
【図５】
0005623189.tif 000006
【図６】
0005623189.tif 000007
【図７】
0005623189.tif 000008